(57)【要約】【課題】  パイロット噴射の効果をより高めることのできるディーゼル機関の燃料噴射制御装置を提供する。【解決手段】  ディーゼル機関１０の燃料噴射制御装置は、主噴射に先立ち行われるパイロット噴射を複数回行う。上記パイロット噴射のうちで最初に行われるパイロット噴射の噴射時期をディーゼル機関１０の温度が低いときほど遅角側に補正する。【選択図】      図１
2006250047.tif 000002
【特許請求の範囲】
【請求項１】
主噴射に先立ち行われるパイロット噴射を複数回行うディーゼル機関の燃料噴射制御装置において、
前記パイロット噴射のうちで最初に行われるパイロット噴射の噴射時期を機関温度が低いときほど遅角側に補正する
ことを特徴とするディーゼル機関の燃料噴射制御装置。
【請求項２】
最初に行われるパイロット噴射から最後に行われるパイロット噴射までの期間のうちで前半の期間に行われるパイロット噴射の噴射時期を機関温度が低いときほど遅角側に補正する請求項１に記載のディーゼル機関の燃料噴射制御装置。
【請求項３】
前記前半の期間に行われるパイロット噴射のうちでより早い時期に行われるパイロット噴射ほどその噴射時期の遅角補正量を大きくする請求項２に記載のディーゼル機関の燃料噴射制御装置。
【請求項４】
主噴射に先立ち行われるパイロット噴射を複数回行うディーゼル機関の燃料噴射制御装置において、
前記パイロット噴射のうちで最初に行われるパイロット噴射の噴射時期を機関温度が低いときほど遅角側に補正するとともに、最後に行われるパイロット噴射の噴射時期を機関温度が低いときほど進角側に補正する
ことを特徴とするディーゼル機関の燃料噴射制御装置。
【請求項５】
最初に行われるパイロット噴射から最後に行われるパイロット噴射までの期間のうちで前半の期間に行われるパイロット噴射の噴射時期を機関温度が低いときほど遅角側に補正するとともに、後半の期間に行われるパイロット噴射の噴射時期を機関温度が低いときほど進角側に補正する請求項４に記載のディーゼル機関の燃料噴射制御装置。
【請求項６】
前記前半の期間に行われるパイロット噴射のうちでより早い時期に行われるパイロット噴射ほどその噴射時期の遅角補正量を大きくするとともに、前記後半の期間に行われるパイロット噴射のうちでより遅い時期に行われるパイロット噴射ほどその噴射時期の進角補正量を大きくする請求項５に記載のディーゼル機関の燃料噴射制御装置。
【請求項７】
主噴射に先立ち行われるパイロット噴射を複数回行うディーゼル機関の燃料噴射制御装置において、
機関温度が低いときほど前記パイロット噴射の噴射時期を最初に行われるパイロット噴射から最後に行われるパイロット噴射までの期間の中央に近づけるように補正する
ことを特徴とするディーゼル機関の燃料噴射制御装置。
【請求項８】
主噴射に先立ち行われるパイロット噴射を複数回行うディーゼル機関の燃料噴射制御装置において、
前記パイロット噴射のうちで最初に行われるパイロット噴射について機関の暖機完了前における噴射時期を暖機完了後における噴射時期よりも遅角側に補正する
ことを特徴とするディーゼル機関の燃料噴射制御装置。
【請求項９】
主噴射に先立ち行われるパイロット噴射を複数回行うディーゼル機関の燃料噴射制御装置において、
前記パイロット噴射のうちで最初に行われるパイロット噴射について機関の暖機完了前における噴射時期を暖機完了後における噴射時期よりも遅角側に補正するとともに、前記パイロット噴射のうちで最後に行われるパイロット噴射について機関の暖機完了前における噴射時期を暖機完了後における噴射時期よりも進角側に補正する
ことを特徴とするディーゼル機関の燃料噴射制御装置。
【請求項１０】
主噴射に先立ち行われるパイロット噴射を複数回行うディーゼル機関の燃料噴射制御装置において、
前記パイロット噴射について機関の暖機完了前における噴射時期を暖機完了後における噴射時期よりも、最初に行われるパイロット噴射から最後に行われるパイロット噴射までの期間の中央に近づけるように補正する
ことを特徴とするディーゼル機関の燃料噴射制御装置。
【請求項１１】
前記パイロット噴射のうちで最後に行われるパイロット噴射の噴射量を機関温度が低いときほど増量補正する請求項１〜１０に記載のディーゼル機関の燃料噴射制御装置。
【請求項１２】
最初に行われるパイロット噴射から最後に行われるパイロット噴射までの期間のうちで後半の期間に行われるパイロット噴射の噴射量を機関温度が低いときほど増量補正する請求項１〜１０に記載のディーゼル機関の燃料噴射制御装置。
【請求項１３】
前記後半の期間に行われるパイロット噴射のうちでより遅い時期に行われるパイロット噴射ほど噴射量の増量補正量を多くする請求項１２に記載のディーゼル機関の燃料噴射制御装置。
【発明の詳細な説明】
【技術分野】
【０００１】
本発明は主噴射に先立ち行われるパイロット噴射を複数回行うディーゼル機関の燃料噴射制御装置に関する。
【背景技術】
【０００２】
ディーゼル機関においては、筒内に噴射された燃料が急激に燃焼されることにともない発生する騒音、いわゆるディーゼルノック音を低減させるべく、主噴射に先立ち少量の燃料を噴射するパイロット噴射が行われている。こうしたパイロット噴射を行えば、噴射された少量の燃料が着火状態となって筒内温度が高められているところへ主噴射が行われるため、主噴射燃料が噴射されてから着火に至るまでの期間、すなわち着火遅れ期間が短縮されるようになり、燃焼が緩やかに進行することとなる。このため、主噴射燃料が急激に燃焼されることにともない発生する騒音を抑制することができる。
【０００３】
またこうしたパイロット噴射においては、例えば特許文献１に示されるように、パイロット噴射燃料を複数回に分割して噴射することで、分割されて噴射されたパイロット噴射燃料をそれぞれ十分に燃焼させて主噴射の着火遅れ期間を短縮させるようにしているものがある（特許文献１参照）。
【特許文献１】特開平１１−９３７３５
【発明の開示】
【発明が解決しようとする課題】
【０００４】
ところが、機関温度が低い場合には、図１２に示されるようにパイロット噴射を複数回（この場合は２回）行うと、特に最初に噴射される燃料を十分に燃焼させることができない。これは最初のパイロット噴射が行われるときは、筒内の空気があまり圧縮されておらず機関温度が低いこととも相まって筒内温度が低くなるためである。したがって、上述したパイロット噴射の効果を十分に得ることができないおそれがあった。
【０００５】
本発明は、こうした実情に鑑みてなされたものであって、その目的は、パイロット噴射の効果をより高めることのできるディーゼル機関の燃料噴射制御装置を提供することにある。
【課題を解決するための手段】
【０００６】
以下、上記目的を解決するための手段及びその作用効果について記載する。
請求項１に記載の発明は、主噴射に先立ち行われるパイロット噴射を複数回行うディーゼル機関の燃料噴射制御装置において、前記パイロット噴射のうちで最初に行われるパイロット噴射の噴射時期を機関温度が低いときほど遅角側に補正することをその要旨とする。
【０００７】
上記構成によれば、複数回行われるパイロット噴射のうちで最初に行われるパイロット噴射の噴射時期が機関温度の低いときほど遅角側に補正される。換言すれば、機関温度が低いときほど筒内の空気がより圧縮されるのを待って、すなわち筒内温度がより高くなるのを待ってパイロット噴射が行われる。このため、機関温度が低い場合であっても最初に行われるパイロット噴射の燃料が十分に燃焼されるようになる。したがって、パイロット噴射の効果をより高めることができる。
【０００８】
パイロット噴射が複数回行われる場合、最初に行われるパイロット噴射から最後に行われるパイロット噴射までの期間のうちで、特に前半の期間に行われるパイロット噴射の燃料は、機関温度が低い場合には十分に燃焼させることができないことがある。
【０００９】
この点請求項２に記載の発明によれば、最初に行われるパイロット噴射から最後に行われるパイロット噴射までの期間のうちで前半の期間に行われるパイロット噴射の噴射時期が機関温度の低いときほど遅角側に補正される。このため、機関温度が低い場合であっても前半の期間に行われるパイロット噴射の燃料が十分に燃焼されるようになる。
【００１０】
前半の期間に行われるパイロット噴射においては、より早い時期に行われるパイロット噴射ほど噴射時の筒内温度が低いため、同パイロット噴射された燃料が十分に燃焼されない。
【００１１】
この点請求項３に記載の発明によれば、前半の期間に行われるパイロット噴射のうちでより早い時期に行われるパイロット噴射ほど、すなわち噴射時の筒内温度が低いために噴射される燃料が燃焼されにくいパイロット噴射ほど、噴射時期の遅角補正量が大きくされる。このため、前半に行われるパイロット噴射の噴射時期をより好適に設定することができる。
【００１２】
なお、こうしたパイロット噴射の噴射時期の遅角量は、当該パイロット噴射の前後に噴射される他のパイロット噴射の噴射時期を追い越さない大きさにする必要がある。
ディーゼル機関では、機関温度が低いときほどパイロット噴射が行われてから同噴射燃料が着火に至るまでの期間、すなわちパイロット噴射の着火遅れ期間が長くなる。このため、パイロット噴射を複数回行うと、特に最後にパイロット噴射された燃料の燃焼時期が遅れ、主噴射時において燃焼途上となってしまうため、主噴射時の筒内温度を十分に高めることができない。
【００１３】
この点請求項４に記載の発明によれば、複数回行われるパイロット噴射のうちで最初に行われるパイロット噴射の噴射時期が機関温度の低いときほど遅角側に補正されるとともに、最後に行われるパイロット噴射の噴射時期が機関温度の低いときほど進角側に補正される。このため、機関温度が低い場合であっても、最初に行われるパイロット噴射の燃料が十分に燃焼されるようになる。またパイロット噴射の着火遅れ期間が長い場合であっても、最後に行われるパイロット噴射の噴射時期が主噴射の噴射時期に対して早められることにより、主噴射時の筒内温度を十分に高めることができるようになる。したがって、パイロット噴射の効果をより高めることができる。
【００１４】
パイロット噴射が複数回行われる場合、機関温度が低いときほどパイロット噴射の着火遅れ期間が長くなるため、最初に行われるパイロット噴射から最後に行われるパイロット噴射までの期間のうちで、特に後半の期間に行われるパイロット噴射の燃焼時期が遅れてしまい、主噴射時の筒内温度を十分に高めることができないことがある。
【００１５】
この点請求項５に記載の発明によれば、最初のパイロット噴射から最後のパイロット噴射までの期間のうちで前半の期間に行われるパイロット噴射の噴射時期が機関温度の低いときほど遅角側に補正されるとともに、後半の期間に行われるパイロット噴射時期が機関温度の低いときほど進角側に補正される。このため、機関温度が低い場合であっても、前半の期間にパイロット噴射された燃料が十分に燃焼されるようになる。またパイロット噴射の着火遅れ期間が長い場合であっても、後半の期間に行われるパイロット噴射の噴射時期が主噴射の噴射時期に対して早められることにより、主噴射時の筒内温度を十分に高めることができるようになる。
【００１６】
後半の期間に行われるパイロット噴射においては、遅い時期に行われるパイロット噴射ほど主噴射との間隔が短いため、機関温度が低い場合には主噴射時において燃焼途上となりやすい。
【００１７】
この点請求項６に記載の発明によれば、前半の期間に行われるパイロット噴射のうちでより早い時期に行われるパイロット噴射ほどその噴射時期の遅角補正量が大きくされるとともに、後半の期間に行われるパイロット噴射のうちでより遅い時期に行われるパイロット噴射ほどその噴射時期の進角補正量が大きくされる。このため、パイロット噴射の噴射時期をより好適に設定することができる。
【００１８】
なお、この場合もパイロット噴射の噴射時期の遅角量を、当該パイロット噴射の前後に噴射される他のパイロット噴射の噴射時期を追い越さない大きさにする必要がある。
請求項７に記載の発明は、主噴射に先立ち行われるパイロット噴射を複数回行うディーゼル機関の燃料噴射制御装置において、機関温度が低いときほど前記パイロット噴射の噴射時期を最初のパイロット噴射から最後のパイロット噴射までの期間の中央に近づけるように補正することをその要旨とする。
【００１９】
上記構成によれば、機関温度の低いときほど複数回行われるパイロット噴射の噴射時期が最初のパイロット噴射から最後のパイロット噴射までの期間の中央に近づけられるように補正される。このため、機関温度が低い場合であっても、上記期間の中央よりも前半の期間に行われるパイロット噴射の燃料が十分に燃焼されるようになる。またパイロット噴射の着火遅れ期間が長くなったとしても、上記期間の中央よりも後半の期間に行われるパイロット噴射の噴射時期が主噴射の噴射時期に対して早められることにより、主噴射時の筒内温度を十分に高めることができるようになる。したがって、パイロット噴射の効果をより高めることができる。
【００２０】
また、請求項８に記載されるように、主噴射に先立ち行われるパイロット噴射を複数回行うディーゼル機関の燃料噴射制御装置において、前記パイロット噴射のうちで最初に行われるパイロット噴射について機関の暖機完了前における噴射時期を暖機完了後における噴射時期よりも遅角側に補正するといった構成を採用することができる。
【００２１】
また、請求項９に記載されるように、主噴射に先立ち行われるパイロット噴射を複数回行うディーゼル機関の燃料噴射制御装置において、前記パイロット噴射のうちで最初に行われるパイロット噴射について機関の暖機完了前における噴射時期を暖機完了後における噴射時期よりも遅角側に補正するとともに、前記パイロット噴射のうちで最後に行われるパイロット噴射について機関の暖機完了前における噴射時期を暖機完了後における噴射時期よりも進角側に補正するといった構成を採用することができる。
【００２２】
さらに、請求項１０に記載されるように、主噴射に先立ち行われるパイロット噴射を複数回行うディーゼル機関の燃料噴射制御装置において、前記パイロット噴射について機関の暖機完了前における噴射時期を暖機完了後における噴射時期よりも、最初のパイロット噴射から最後のパイロット噴射までの期間の中央に近づけるように補正するといった構成を採用することができる。
【００２３】
これら請求項８〜１０に記載の上記構成によれば、暖機完了後に対して機関温度が低くなる暖機完了前において、パイロット噴射の効果をより高めることができる。
主噴射時の筒内温度を高めておくためには機関温度が低いときほどパイロット噴射によって多くの熱量を供給する必要がある。
【００２４】
この点請求項１１に記載の発明によれば、パイロット噴射のうちで最後に行われるパイロット噴射の噴射量が機関温度の低いときほど増量補正される。このため、機関温度が低い場合であっても、最後に行われるパイロット噴射、すなわち主噴射の噴射時期に最も近い時期に行われるパイロット噴射の噴射量が増量されることで、主噴射時に要求される熱量を効率的に確保することができる。
【００２５】
また、特に請求項４〜１０に記載される構成においては、機関温度が低いときほど最後に行われるパイロット噴射の噴射時期が進角側に補正される。このため、筒内温度の上昇時期が進角された分だけ早くなってしまい、主噴射時にはすでに筒内温度が低下しはじめてしまうおそれがある。この点においても上記構成によれば、主噴射時に筒内温度が低下しはじめたとしても、最後に行われるパイロット噴射の噴射量が増量されているため筒内温度をより高い温度に維持しておくことができる。
【００２６】
請求項１２に記載の発明は、請求項１〜１０に記載のディーゼル機関の燃料噴射制御装置において、最初に行われるパイロット噴射から最後に行われるパイロット噴射までの期間のうちで後半の期間に行われるパイロット噴射の噴射量を機関温度が低いときほど増量補正することをその要旨とする。
【００２７】
上記構成によれば、パイロット噴射のうちで後半の期間に行われるパイロット噴射の噴射量が機関温度の低いときほど増量補正される。このため、機関温度が低い場合であっても、複数回行われるパイロット噴射のうちで後半の期間に行われるパイロット噴射、すなわち主噴射の噴射時期に近い時期に行われるパイロット噴射の噴射量が増量されることで、主噴射時の筒内温度を十分高い温度に維持しておくことができる。
【００２８】
具体的には、請求項１３に記載されるように、後半の期間に行われるパイロット噴射のうちでより遅い時期に行われるパイロット噴射ほど噴射量の増量補正量を多くするといった態様を採用することができる。この場合、主噴射の噴射時期に近い時期に行われるパイロット噴射ほど噴射量の増量補正量が多くされるため、主噴射時の筒内温度をさらに高い状態に維持することができる。
【発明を実施するための最良の形態】
【００２９】
＜第１実施形態＞
本発明にかかるディーゼル機関の燃料噴射制御装置を具体化した第１実施形態について、図１〜図４を参照して詳細に説明する。
【００３０】
図１に示されるように、本実施形態のディーゼル機関の燃料噴射制御装置は、ディーゼル機関１０、電子制御装置２０、及び各種センサ３０により構成されている。
ディーゼル機関１０の各気筒には、高圧燃料を燃焼室内に直接噴射するための燃料噴射弁１２がそれぞれ備えられている。図示しない燃料タンクに貯蔵される燃料は、燃料ポンプによってコモンレールに圧送され、同コモンレールから高圧燃料管を介して燃料噴射弁１２へと供給される。
【００３１】
各種センサ３０としては、水温センサ３２、クランク角センサ３４、吸入空気量センサ３６、およびアクセル開度センサ３８を備えている。水温センサ３２は機関温度の代表値としての冷却水温度ＴＨｗを検出するためのものである。クランク角センサ３４はディーゼル機関の出力軸であるクランクシャフトの回転角度位置を検出するためのものである。吸入空気量センサ３６は吸気通路を介してディーゼル機関に供給される吸入空気量を検出するためのものである。アクセル開度センサ３８はアクセル操作量を検出するためのものである。
【００３２】
上記各種センサ３０はディーゼル機関１０の運転状態を随時検出するとともに、同検出結果を電子制御装置２０に対して出力する。電子制御装置２０は機関運転状態に基いてディーゼル機関１０の燃料噴射制御を行う。具体的には、電子制御装置２０は入力された上記検出結果に基いて燃料の噴射時期および噴射量を算出し、算出された結果に基づいてディーゼル機関１０の燃料噴射弁１２の開閉制御を行う。
【００３３】
本実施形態では、複数回行われるパイロット噴射の一例として同量のパイロット噴射を２回行うものを採用しており、最初に行われるパイロット噴射を第１パイロット噴射と称するとともに、その後に行われるパイロット噴射を第２パイロット噴射と称することにする。
【００３４】
以下に、第１パイロット噴射の噴射時期ｔＰ１および第２パイロット噴射の噴射時期ｔＰ２を設定する手順について、図２のフローチャート、および図３のマップを参照して説明する。このフローチャートに示される一連の処理は、電子制御装置２０により機関運転中において所定の周期をもって繰り返し実行される。
【００３５】
図２に示されるように、この一連の処理ではまず、水温センサ３２から出力される冷却水温度ＴＨｗが機関温度の代表値として読み込まれる（ステップ１００）。冷却水温度ＴＨｗが読み込まれると、図３に示されるマップに従い、同温度ＴＨｗに基いて第１パイロット噴射の噴射時期ｔＰ１および第２パイロット噴射の噴射時期ｔＰ２が設定される（ステップ１１０）。
【００３６】
図３に示されるように、冷却水温度ＴＨｗが８０度よりも低いとき、すなわち機関の暖機が完了していないときには、第１パイロット噴射の噴射時期ｔＰ１は同温度ＴＨｗが低くなるほど遅角側に設定される。すなわち、本実施形態においては暖機完了後の第１パイロット噴射の噴射時期を基準として、冷却水温度ＴＨｗの低下に対して遅角補正量ΔｔＰ１が直線的に増加するようになっている。これに対して、第２パイロット噴射の噴射時期ｔＰ２は同温度ＴＨｗが低くなるほど進角側に設定される。すなわち、本実施形態においては暖機完了後の第２パイロット噴射の噴射時期を基準として、冷却水温度ＴＨｗの低下に対して進角補正量ΔｔＰ２が直線的に増加するようになっている。具体的には、暖機が完了していない０度のときにおける第１パイロット噴射の噴射時期ｔＰ１の遅角補正量ΔｔＰ１の大きさは、第２パイロット噴射の噴射時期ｔＰ２の進角補正量ΔｔＰ２の大きさと等しくなっている。なお、このようにパイロット噴射の噴射時期を進角側または遅角側に設定する場合には、実験等により求められる最適な特性曲線を採用することが望ましい。
【００３７】
一方、冷却水温度ＴＨｗが８０度以上のとき、すなわち機関の暖機が完了しているときには、第１パイロット噴射の噴射時期ｔＰ１および第２パイロット噴射の噴射時期ｔＰ２は同温度ＴＨｗによらずそれぞれ一定の値となっている。このようにして冷却水温度ＴＨｗに基いて第１パイロット噴射の噴射時期ｔＰ１および第２パイロット噴射の噴射時期ｔＰ２が設定された後、この一連の処理は一旦終了される。
【００３８】
以上説明した制御に基く各燃料噴射の噴射態様について、図４を参照して説明する。
図４は、第１パイロット噴射、第２パイロット噴射および主噴射におけるそれぞれの噴射時期と噴射率との関係を示すタイムチャートである。なお、実線で示されるものは、冷却水温度ＴＨｗが８０度の場合、すなわち機関の暖機が完了している場合における各噴射の噴射時期と噴射率との関係を示している。一方、破線で示されるものは、冷却水温度ＴＨｗが０度の場合、すなわち機関の暖機が完了していない場合における第１パイロット噴射および第２パイロット噴射の噴射時期と噴射率との関係を示している。
【００３９】
図４に示されるように、機関の暖機完了前における第１パイロット噴射の噴射時期は、遅角側にΔｔＰ１だけ補正されることでｔＰ１＋ΔｔＰ１となる。また機関の暖機完了前における第２パイロット噴射の噴射時期は、進角側にΔｔＰ２だけ補正されることでｔＰ２−ΔｔＰ２となる。
【００４０】
＜実施形態の効果＞
以上詳述したように、本実施形態のディーゼル機関の燃料噴射制御装置によれば、以下に記載する効果が得られるようになる。
【００４１】
（１）第１パイロット噴射の噴射時期ｔＰ１を冷却水温度ＴＨｗが低いときほど遅角側に補正するとともに、第２パイロット噴射の噴射時期ｔＰ２を冷却水温度ＴＨｗが低いときほど進角側に補正する。換言すれば、機関温度が低いときほど筒内の空気がより圧縮されるのを待って、すなわち筒内温度がより高くなるのを待って第１パイロット噴射が行われる。このため、機関温度が低い場合であっても最初に行われる第１パイロット噴射の燃料が十分に燃焼されるようになる。また第２パイロット噴射の着火遅れ期間が長い場合であっても、第２パイロット噴射の噴射時期ｔＰ２が主噴射の噴射時期ｔＭに対して早められることにより、主噴射時の筒内温度を十分に高めることができるようになる。したがって、第１パイロット噴射および第２パイロット噴射の効果をより高めることができる。
＜第２実施形態＞
本発明にかかるディーゼル機関の燃料噴射制御装置を具体化した第２実施形態について、図５〜図７を参照して説明する。
【００４２】
本実施形態では、パイロット噴射の噴射量の総量は第１実施形態と等しくなってはいるものの、以下の点が第１実施形態と異なっている。すなわち、本実施形態ではパイロット噴射が４回行われる点、および第１，第２パイロット噴射の噴射量が第１実施形態において説明した第１パイロット噴射の半分の大きさである点が第１実施形態と異なっている。また第３，第４パイロット噴射の噴射量が第１実施形態において説明した第２パイロット噴射の半分の大きさとなっている点が第１実施形態と異なっている。なお、ディーゼル機関の燃料噴射制御装置は第１実施形態と同様のものを採用しており、図１に示される構成を備えている。
【００４３】
以下に、第１〜第４パイロット噴射の噴射時期ｔＰ１〜ｔＰ４を設定する手順について、図５のフローチャート、および図６のマップを参照して説明する。
図５に示されるように、この一連の処理においてもまず、電子制御装置２０によって水温センサ３２から出力される冷却水温度ＴＨｗが機関温度の代表値として読み込まれる（ステップ２００）。冷却水温度ＴＨｗが読み込まれると、図６に示されるマップに従い、同温度ＴＨｗに基いて第１〜４パイロット噴射の噴射時期ｔＰ１〜ｔＰ４が設定される（ステップ２１０）。
【００４４】
本実施形態においては、図６に示されるように、最初に行われる第１パイロット噴射の噴射時期ｔＰ１から最後に行われる第４パイロット噴射の噴射時期ｔＰ４までの期間のうちの前半の期間に第１，第２パイロット噴射が行われるとともに、上記期間のうちの後半の期間に第３，第４パイロット噴射が行われる。
【００４５】
図６に示されるように、冷却水温度ＴＨｗが８０度よりも低いとき、すなわち機関の暖機が完了していないときには、上記前半の期間に行われる第１，２パイロット噴射の噴射時期ｔＰ１，ｔＰ２は同温度ＴＨｗが低くなるほど遅角側に設定される。すなわち、本実施形態においては暖機完了後の第１，２パイロット噴射の噴射時期を基準として、冷却水温度ＴＨｗの低下に対して遅角補正量ΔｔＰ１，ΔｔＰ２が直線的に増加するようになっている。これに対して、第３，４パイロット噴射の噴射時期ｔＰ３，ｔＰ４は同温度ＴＨｗが低くなるほど進角側に設定される。すなわち、本実施形態においては暖機完了後の第３，４パイロット噴射の噴射時期を基準として、冷却水温度ＴＨｗの低下に対して進角補正量ΔｔＰ３，ΔｔＰ４が直線的に増加するようになっている。図６に示されるように、暖機が完了していない０度のときにおける第１パイロット噴射の噴射時期ｔＰ１の遅角補正量ΔｔＰ１は、第２パイロット噴射の噴射時期ｔＰ２の遅角補正量ΔｔＰ２に比べて大きくなっている。また、暖機が完了していない０度のときにおける第４パイロット噴射の噴射時期ｔＰ４の進角補正量ΔｔＰ４は、第３パイロット噴射の噴射時期ｔＰ３の進角補正量ΔｔＰ３に比べて大きくなっている。なお、このようにパイロット噴射の噴射時期を進角側または遅角側に設定する場合には、実験等により求められる最適な特性曲線を採用することが望ましい。
【００４６】
一方、冷却水温度ＴＨｗが８０度以上のとき、すなわち機関の暖機が完了しているときには、第１〜４パイロット噴射の噴射時期ｔＰ１〜ｔＰ４は同温度ＴＨｗによらずそれぞれ一定の値となっている。このようにして冷却水温度ＴＨｗに基いて上記第１〜４パイロット噴射の噴射時期ｔＰ１〜ｔＰ４が設定された後、この一連の処理は一旦終了される。
【００４７】
以上説明した制御に基く各燃料噴射の噴射態様について、図７を参照して説明する。
図７は、第１〜４パイロット噴射、および主噴射におけるそれぞれの噴射時期と噴射率との関係を示すタイムチャートである。なお、実線で示されるものは、冷却水温度ＴＨｗが８０度の場合、すなわち、機関の暖機が完了している場合における各噴射の噴射時期と噴射率との関係を示している。一方、破線で示されるものは、冷却水温度ＴＨｗが０度の場合、すなわち機関の暖機が完了していない場合における第１〜４パイロット噴射の噴射時期と噴射率との関係を示している。
【００４８】
図７に示されるように、機関の暖機完了前における第１，２パイロット噴射の噴射時期は、ともに遅角側にΔｔＰ１，ΔｔＰ２ずつ補正されることで、それぞれｔＰ１＋ΔｔＰ１，ｔＰ２＋ΔｔＰ２となる。特に早い時期に行われる第１パイロット噴射の遅角補正量ΔｔＰ１は、第２パイロット噴射の遅角補正量ΔｔＰ２よりも大きくなっている。また機関の暖機完了前における第３，４パイロット噴射の噴射時期は、ともに進角側にΔｔＰ３，ΔｔＰ４ずつ補正されることで、それぞれｔＰ３−ΔｔＰ３，ｔＰ４―ΔｔＰ４となる。特に遅い時期に行われる第４パイロット噴射の進角補正量ΔｔＰ４は、第３パイロット噴射の進角補正量ΔｔＰ３よりも大きくなっている。
【００４９】
＜実施形態の効果＞
以上詳述したように、本実施形態のディーゼル機関の燃料噴射制御装置によれば、以下に列記する効果が得られるようになる。
【００５０】
（１）第１パイロット噴射から第４パイロット噴射までの期間のうちで前半の期間に行われる第１，２パイロット噴射の噴射時期ｔＰ１，ｔＰ２を冷却水温度ＴＨｗが低いときほど遅角側に補正するとともに、後半の期間に行われる第３，４パイロット噴射の噴射時期ｔＰ３，ｔＰ４を冷却水温度ＴＨｗが低いときほど進角側に補正する。換言すれば、機関温度が低いときほど筒内の空気がより圧縮されるのを待って、すなわち筒内温度がより高くなるのを待って第１，２パイロット噴射が行われる。このため、機関温度が低い場合であっても前半の期間に行われる第１，２パイロット噴射の燃料が十分に燃焼されるようになる。また機関温度が低くパイロット噴射の着火遅れ期間が長くなる場合であっても、後半の期間に行われる第３，４パイロット噴射の噴射時期ｔＰ３，ｔＰ４が主噴射の噴射時期ｔＭに対して早められることにより、主噴射時の筒内温度を十分に高めることができるようになる。したがって、第１〜４パイロット噴射の効果をより高めることができる。
【００５１】
（２）前半の期間に行われる第１，２パイロット噴射においては、より早い時期に行われる第１パイロット噴射は、第２パイロット噴射よりも噴射時の筒内温度が低いときに噴射されるため、同第１パイロット噴射における燃料は燃焼されにくい。また、後半に行われる第３，４パイロット噴射においては、第４パイロット噴射は、第３パイロット噴射よりも主噴射との間隔が短いため、機関温度が低い場合には主噴射時において燃焼途上となりやすい。
【００５２】
この点本実施形態によれば、前半の期間に行われる第１，２パイロット噴射のうちでより早い時期に行われる第１パイロット噴射は、第２パイロット噴射よりも噴射時期の遅角補正量が大きくされる。また、後半の期間に行われる第３，４パイロット噴射のうちでより遅い時期に行われる第４パイロット噴射は、第３パイロット噴射よりも噴射時期の進角補正量が大きくされる。このため、第１〜４パイロット噴射の噴射時期をより適切に設定することができる。
＜第３実施形態＞
本発明にかかるディーゼル機関の燃料噴射制御装置を具体化した第３実施形態について、図８〜図１１を参照して説明する。
【００５３】
本実施形態では、第２実施形態と同様にパイロット噴射が４回行われるものではあるが、冷却水温度ＴＨｗが低い場合であっても第２パイロット噴射の噴射時期ｔＰ２を補正しない点、冷却水温度ＴＨｗが低くなるほど第３，４パイロット噴射での燃料噴射量を増量補正する点が第２実施形態と異なっている。なお、ディーゼル機関の燃料噴射制御装置は、第１，２実施形態と同様のものを採用しており、図１に示される構成を備えている。
【００５４】
以下に、第１〜第４パイロット噴射の噴射時期ｔＰ１〜ｔＰ４を設定する手順について、図８のフローチャート、および図９のマップを参照して説明し、第３，４パイロット噴射の噴射量ｖＰ３，ｖＰ４を設定する手順について図１０のマップを参照して説明する。
【００５５】
図８に示されるように、この一連の処理においてもまず、電子制御装置２０によって水温センサ３２から出力される冷却水温度ＴＨｗが機関温度の代表値として読み込まれる（ステップ３００）。冷却水温度ＴＨｗが読み込まれると、図９に示されるマップに従い、同温度ＴＨｗに基いて第１〜４パイロット噴射の噴射時期ｔＰ１〜ｔＰ４が設定される（ステップ３１０）。
【００５６】
本実施形態においては、図９に示されるように、最初に行われる第１パイロット噴射の噴射時期ｔＰ１から最後に行われる第４パイロット噴射の噴射時期ｔＰ４までの期間の中央となる時期に第２パイロット噴射が行われる。
【００５７】
図９に示されるように、冷却水温度ＴＨｗが８０度よりも低いとき、すなわち機関の暖機が完了していないときには、最初に行われる第１パイロット噴射の噴射時期ｔＰ１は同温度ＴＨｗが低くなるほど遅角側に設定される。すなわち、本実施形態においては暖機完了後の第１パイロット噴射の噴射時期を基準として、冷却水温度ＴＨｗの低下に対して遅角補正量ΔｔＰ１が直線的に増加するようになっている。また、上記期間の後半に行われる第３，４パイロット噴射の噴射時期ｔＰ３，ｔＰ４は同温度ＴＨｗが低くなるほど進角側に設定される。すなわち、本実施形態においては暖機完了後の第３，４パイロット噴射の噴射時期を基準として、冷却水温度ＴＨｗの低下に対して進角補正量ΔｔＰ３，ΔｔＰ４が直線的に増加するようになっている。図９に示されるように、暖機が完了していない０度のときにおける第４パイロット噴射の噴射時期ｔＰ４の進角補正量ΔｔＰ４は、第３パイロット噴射の噴射時期ｔＰ３の進角補正量ΔｔＰ３に比べて大きくなっている。これに対して、第２パイロット噴射の噴射時期ｔＰ２は、冷却水温度ＴＨｗが低いときであっても噴射時期が進角または遅角補正されない。
【００５８】
一方、冷却水温度ＴＨｗが８０度以上のとき、すなわち機関の暖機が完了しているときには、第１〜４パイロット噴射の噴射時期ｔＰ１〜ｔＰ４は同温度ＴＨｗによらずそれぞれ一定の値となっている。
【００５９】
次に、図１０に示されるマップに従い、冷却水温度ＴＨｗに応じて第３，４パイロット噴射の噴射量が設定される（ステップ３２０）。
図１０に示されるように、冷却水温度ＴＨｗが８０度よりも低いときには、第３，４パイロット噴射の噴射量は冷却水温度ＴＨｗが低くなるほど増量側に設定される。すなわち、本実施形態においては暖機完了後の第３，４パイロット噴射の噴射時期を基準として、冷却水温度ＴＨｗの低下に対して増量補正量ΔｖＰ３，ΔｖＰ４が直線的に増加するようになっている。特により遅い時期に行われる第４パイロット噴射の増量補正量ΔｖＰ４は、第３パイロット噴射の増量補正量ΔｖＰ３よりも大きくなっている。
【００６０】
なお、このように冷却水温度に基いてパイロット噴射の噴射時期を進角側または遅角側に設定する場合や、噴射量の増量側に設定する場合には、実験等により求められる最適な特性曲線を採用することが望ましい。
【００６１】
一方、冷却水温度ＴＨｗが８０度以上のとき、すなわち機関の暖機が完了しているときには、第３，４パイロット噴射の噴射量は同温度ＴＨｗによらずそれぞれ一定となっている。このようにして冷却水温度ＴＨｗに基いて上記第１〜４パイロット噴射の噴射時期ｔＰ１〜ｔＰ４および第３，４パイロット噴射の噴射量ｖＰ３，ｖＰ４が設定された後、この一連の処理は一旦終了される。
【００６２】
以上説明した制御に基く各燃料噴射の噴射態様について、図１１を参照して説明する。
図１１は、第１〜４パイロット噴射、および主噴射におけるそれぞれの噴射時期と噴射率との関係を示すタイムチャートである。なお、実線で示されるものは、冷却水温度ＴＨｗが８０度の場合、すなわち機関の暖機が完了している場合における各噴射の噴射時期と噴射率との関係を示している。一方、破線で示されるものは、冷却水温度ＴＨｗが０度の場合、すなわち機関の暖機が完了していない場合における各パイロット噴射の噴射時期と噴射率との関係を示している。
【００６３】
図１１に示されるように、機関の暖機完了前における第１パイロット噴射の噴射時期は遅角側にΔｔＰ１だけ補正されることでｔＰ１＋ΔｔＰ１となる。また機関の暖機完了前における第３，４パイロット噴射の噴射時期は、ともに進角側にΔｔＰ３，ΔｔＰ４ずつ補正されることで、それぞれｔＰ３−ΔｔＰ３，ｔＰ４−ΔｔＰ４となる。特に遅い時期に行われる第４パイロット噴射の進角補正量ΔｔＰ４は、第３パイロット噴射の進角補正量ΔｔＰ３よりも大きくなっている。また、第３，４パイロット噴射の噴射量は、ともにΔｖＰ３，ΔｖＰ４ずつ増量補正されることで、それぞれｖＰ３＋ΔｖＰ３，ΔｖＰ４＋ΔｖＰ４となる。特に遅い時期に行われる第４パイロット噴射の増量補正量ΔｖＰ４は、第３パイロット噴射の増量補正量ΔｖＰ３よりも多くなっている。
【００６４】
一方、第２パイロット噴射の噴射時期ｔＰ２は冷却水温度ＴＨｗが低い場合であっても補正されない．このため、図１１においては機関の暖機完了後の噴射時期を示す実線と、機関の暖機完了前の噴射時期を示す破線とが重なり合っている。
【００６５】
＜実施形態の効果＞
以上詳述したように、本実施形態のディーゼル機関の燃料噴射制御装置によれば、以下に列記する効果が得られるようになる。
【００６６】
（１）主噴射時の筒内温度を高めておくためには、機関温度が低いときほどパイロット噴射によってより多くの熱量を供給する必要がある。
この点本実施形態によれば、冷却水温度ＴＨｗの低いときほどパイロット噴射のうちで後半の期間に行われる第３，４パイロット噴射の噴射量が増量補正される。このため、冷却水温度ＴＨｗが低い場合であっても、後半の期間に行われる第３，４パイロット噴射、すなわち主噴射の噴射時期ｔＭに近い時期に行われるパイロット噴射の噴射量が増量されることで、主噴射時の筒内温度をより高い温度に維持しておくことができる。
【００６７】
また、上記実施形態においては、冷却水温度ＴＨｗが低いときほど後半の期間に行われる第３，４パイロット噴射の噴射時期ｔＰ３，ｔＰ４が進角側に補正される。このため、筒内温度の上昇時期が進角された分だけ早くなってしまい、主噴射時にはすでに筒内温度が低下しはじめてしまうおそれがある。この点においても本実施形態によれば、主噴射時に筒内温度が低下しはじめたとしても、後半の期間に行われるパイロット噴射の噴射量が増量されているため筒内温度をより高い温度に維持しておくことができる。
【００６８】
（２）後半の期間に行われる第３，４パイロット噴射のうちでより遅い時期に行われる第４パイロット噴射の増量補正量が第３パイロット噴射の増量補正量よりも多くなっている。このため、主噴射時の筒内温度をさらに高い状態に維持することができる。
【００６９】
（３）冷却水温度ＴＨｗの低いときほど４回行われるパイロット噴射の噴射時期が最初に行われる第１パイロット噴射から最後に行われる第４パイロット噴射までの期間の中央、すなわち第２パイロット噴射の噴射時期ｔＰ２に近づけられるように補正される。このため、冷却水温度ＴＨｗが低い場合であっても、上記期間の中央よりも前半の期間に行われる第１パイロット噴射の燃料が十分に燃焼されるようになる。またパイロット噴射の着火遅れ期間が長くなったとしても、上記期間の中央よりも後半の期間に行われる第３，４パイロット噴射の噴射時期ｔＰ３，ｔＰ４が主噴射の噴射時期ｔＭに対して早められることにより、主噴射時の筒内温度を十分に高めることができるようになる。したがって、パイロット噴射の効果をより高めることができる。
【００７０】
＜変更例＞
なお、上記実施の形態は、以下のように変更して実施することもできる。
・上記燃料噴射制御を機関回転数が低いときに限り行うようにしてもよい。また上記燃料噴射制御を機関の負荷が低いときに限り行うようにしてもよい。この場合、機関回転数が高いときや、機関の負荷が高いとき、すなわち上記燃料噴射制御をせずともパイロット噴射の効果をより高めることのできるときには、不要な燃料噴射制御を行わなくても済む。
【００７１】
・通常、機関温度が低いときにはフリクションが増大するため、機関温度が高いときと同じ大きさの機関トルクを得ようとすると主噴射の噴射量ｖＭを増量する必要がある。ところが、主噴射の噴射量ｖＭのみを増量した場合には、主噴射燃料が急激に燃焼し、こうした急激な燃焼にともなって燃焼騒音が増大してしまうおそれがある。この点、上記実施形態に例示したパイロット噴射の増量補正に加えて、要求される主噴射の増量補正量ΔｖＭの一部を、パイロット噴射の増量補正に充ててもよい。これにより、主噴射のみを増量させる場合に比べて上記燃焼騒音を低く抑えることができるとともに、要求される機関トルクを得ることができるようになる。
【００７２】
・上記パイロット噴射の増量補正の態様は、第３実施形態に例示されるものに限られない。例えば第３実施形態と同様にパイロット噴射が４回行われる場合において、第３，４パイロット噴射の増量補正量を等しくするようにしてもよい。
【００７３】
・上記増量補正の対象となるパイロット噴射は、第３実施形態に例示した第３，４パイロット噴射に限られない。パイロット噴射に要求される熱量が更に大きくなった場合には、後半の期間に行われるパイロット噴射を増量補正することに加えて前半の期間に行われるパイロット噴射を増量するようにしてもよい。
【００７４】
・パイロット噴射の噴射時期を進角側または遅角側に補正して設定することのみによって主噴射時の筒内温度を十分高めておくことができる場合には、たとえ機関温度が低い場合であってもパイロット噴射を増量補正しなくてもよい。この場合、不要な燃料消費を抑制することができる。
【００７５】
・パイロット噴射の噴射時期および噴射量を補正する態様は、上述したように冷却水温度ＴＨｗが８０度よりも低いことを条件に行うものに限られない。例えば、冷却水温度ＴＨｗが８０度以上である場合においてもパイロット噴射の噴射時期補正および増量補正を行うようにしてもよい。要するに、機関温度が低いときほど上述した補正量を大きくするものであればよい。
【００７６】
・上記各実施形態では、機関温度が低くなることに応じて各種補正を実行したが、暖機完了後に対して機関温度が低くなる暖機完了前において、これらの各種補正を行ってもよい。
【００７７】
・パイロット噴射の噴射時期の進角補正量および遅角補正量は、先の実施形態に例示されるものに限られない。例えばパイロット噴射が前半の期間と後半の期間にそれぞれ２回ずつ行われる場合において、前半の期間に行われる第１パイロット噴射の遅角補正量の大きさと第２パイロット噴射の遅角補正量の大きさとを等しくしてもよい。また後半の期間に行われる第３パイロット噴射の進角補正量の大きさと第４パイロット噴射の遅角補正量の大きさとを等しくしてもよい。ただし、こうしたパイロット噴射の噴射時期の遅角補正量または進角補正量は、当該パイロット噴射の前後に噴射される他のパイロット噴射の噴射時期を追い越さない大きさにする必要がある。
【００７８】
・上記複数回行われるパイロット噴射において、すべてのパイロット噴射の噴射時期を進角側または遅角側に補正して設定する必要はない。例えば最初のパイロット噴射と最後のパイロット噴射についてのみ噴射時期の補正をしてもよい。
【００７９】
・最初のパイロット噴射の噴射時期を遅角側に補正して設定することのみによって複数回行われるパイロット噴射を十分に燃焼させることができるのであれば、たとえ機関温度が低い場合であっても最後のパイロット噴射の噴射時期を進角補正させなくてもよい。
【００８０】
・本発明にかかるパイロット噴射の回数は先の実施形態に例示した回数に限られない。例えばパイロット噴射が３回、あるいは５回以上行われるものであってもよい。要するに主噴射に先立って複数回のパイロット噴射が行われるディーゼル機関の燃料噴射制御装置であればよい。
【図面の簡単な説明】
【００８１】
【図１】本発明にかかるディーゼル機関の燃料噴射制御装置の第１実施形態について、その構成を示すブロック図。
【図２】同実施形態におけるパイロット噴射の噴射時期を設定する処理手順を示すフローチャート。
【図３】冷却水温度とパイロット噴射の噴射時期との関係を示すマップ。
【図４】パイロット噴射および主噴射の噴射態様を示すタイムチャート。
【図５】本発明の第２実施形態におけるパイロット噴射の噴射時期を設定する処理手順を示すフローチャート。
【図６】冷却水温度とパイロット噴射の噴射時期との関係を示すマップ。
【図７】パイロット噴射および主噴射の噴射態様を示すタイムチャート。
【図８】本発明の第３実施形態におけるパイロット噴射の噴射時期を設定する処理手順を示すフローチャート。
【図９】冷却水温度とパイロット噴射の噴射時期との関係を示すマップ。
【図１０】冷却水温度とパイロット噴射の噴射量との関係を示すマップ。
【図１１】パイロット噴射および主噴射の噴射態様を示すタイムチャート。
【図１２】従来のディーゼル機関の燃料噴射制御装置におけるパイロット噴射およびお主噴射の噴射態様を示すタイムチャート。
【符号の説明】
【００８２】
１０…ディーゼル機関、１２…燃料噴射弁、２０…電子制御装置、３０…各種センサ、３２…水温センサ、３４…クランク角センサ、３６…吸入空気量センサ、３８…アクセル開度センサ
【図１】
2006250047.tif 000003
【図２】
2006250047.tif 000004
【図３】
2006250047.tif 000005
【図４】
2006250047.tif 000006
【図５】
2006250047.tif 000007
【図６】
2006250047.tif 000008
【図７】
2006250047.tif 000009
【図８】
2006250047.tif 000010
【図９】
2006250047.tif 000011
【図１０】
2006250047.tif 000012
【図１１】
2006250047.tif 000013
【図１２】
2006250047.tif 000014